(57)【要約】【課題】遊技店内での分煙を低コストで行うこと。【解決手段】ロールスクリーン１は端部を遊技機設置島３に取り付けられる。隣り合う遊技機の境界部の上方にて遊技機設置島３から前方に突出した状態で設置されているので、スクリーンシート２４を引き出せば遊技者同士をスクリーンシート２４にて仕切ることができる。このように仕切ることで、いずれか一人の遊技者が喫煙した場合、その煙が隣の席に流れるのを防止できる。遊技店では、空調設備の吸入部が天井に設置されているのが普通であるから、煙は天井方向へと吸い上げられて空調設備に取り込まれる。よって隣り合う遊技者間をスクリーンで仕切るだけで十分な分煙効果がある。エアカーテンを用いるよりも設置費用は低額でありランニングコストは不要である。また、メンテナンスといってもスクリーンシート２４の清掃程度であるから、容易である。【選択図】図１
2008062012.tif 000002
【特許請求の範囲】
【請求項１】
ケーシングと、
該ケーシングに収容された回転自在な芯パイプと、
該芯パイプに一端が連結されていて該芯パイプに巻取り及び巻解きが可能なスクリーンと、
一端が前記芯パイプに連結され他端は前記ケーシングの外部にあって、前記芯パイプに巻取り及び巻解きが可能なスクリーンと、
前記スクリーンを巻取る方向に前記芯パイプを回転駆動する駆動手段と
を備えるロールスクリーンにおいて、
複数の遊技機が並べて設置される遊技機設置島に前記ケーシングの一方の端部を取り付けるための取付手段を設けたことを特徴とするロールスクリーン。
【請求項２】
請求項１記載のロールスクリーンにおいて、
前記スクリーンは透光性であることを特徴とするロールスクリーン。
【請求項３】
請求項１記載のロールスクリーンにおいて、
前記取付手段は、前記ケーシングと連結された係止片と、前記遊技機設置島に固定されて前記係止片を係止させる取付ベースとで構成される
ことを特徴とするロールスクリーン。
【請求項４】
請求項３記載のロールスクリーンにおいて、
前記ケーシングと前記係止片とはヒンジを介して連結されており、
前記ヒンジによる前記ケーシングの下向きの変位限度を規定する変位規定手段を設けたことを特徴とするロールスクリーン。
【請求項５】
請求項１記載のロールスクリーンにおいて、
前記ケーシングの他方の端部には緩衝材が取り付けられている
ことを特徴とするロールスクリーン。
【請求項６】
請求項１記載のロールスクリーンにおいて、
前記芯パイプの回転を阻む状態と前記芯パイプの回転を許す状態とに可変のロック手段を設けたことを特徴とするロールスクリーン。
【請求項７】
請求項１記載のロールスクリーンにおいて、
前記スクリーンの他端を前記遊技機設置島に拘束するための拘束手段を設けたことを特徴とするロールスクリーン。
【請求項８】
請求項１記載のロールスクリーンにおいて、
前記スクリーンを両面から挟んで前記スクリーンの巻取り時及び巻解き時に前記スクリーンの両面を拭くワイパ部材を設けたことを特徴とするロールスクリーン。
【請求項９】
請求項１記載のロールスクリーンにおいて、
前記芯パイプ及びスクリーンを交換可能であることを特徴とするロールスクリーン。
【請求項１０】
請求項１記載のロールスクリーンにおいて、
前記駆動手段によって前記芯パイプを回転駆動して前記スクリーンを巻取る際の巻取り限度が規定されていて、該巻取り限度まで前記スクリーンを巻取ったときにスクリーンの一部が前記ケーシングから出ている
ことを特徴とするロールスクリーン。
【請求項１１】
請求項１記載のロールスクリーンにおいて、
前記ケーシングには、表示プレートを保持するためのプレート保持部が設けられていることを特徴とするロールスクリーン。
【請求項１２】
請求項１１記載のロールスクリーンにおいて、
前記プレート保持部に保持された表示プレートに光を照射するための発光体が設けられていることを特徴とするロールスクリーン。
【請求項１３】
請求項１記載のロールスクリーンにおいて、
遊技者のスイッチ操作によって点灯する呼び出し灯が前記ケーシングの他方の端部に設けられている
ことを特徴とするロールスクリーン。
【請求項１４】
請求項１記載のロールスクリーンにおいて、
重力による荷重を前記スクリーンの他端に及ぼすためのバランサを設けたことを特徴とするロールスクリーン。
【請求項１５】
請求項１記載のロールスクリーンにおいて、
カメラを保持するためのカメラ保持部を設けたことを特徴とするロールスクリーン。
【請求項１６】
ケーシングと、
該ケーシングに収容された回転自在な芯パイプと、
該芯パイプに一端が連結されていて該芯パイプに巻取り及び巻解きが可能なスクリーンと、
一端が前記芯パイプに連結され他端は前記ケーシングの外部にあって、前記芯パイプに巻取り及び巻解きが可能なスクリーンと、
前記スクリーンを巻取る方向に前記芯パイプを回転駆動する駆動手段と
を備えるロールスクリーンにおいて、
複数の遊技機が並べて設置される遊技機設置島に前記ケーシングを縦向きで取り付けるための取付手段と、
前記ケーシングからの前記スクリーンの引き出し量に追随して伸縮し、前記スクリーンを吊り下げ状に支持する伸縮支持手段と
を設けたことを特徴とするロールスクリーン。
【発明の詳細な説明】
【技術分野】
【０００１】
本発明は、遊技設備の技術分野に属する。
【背景技術】
【０００２】
遊技店では、パチンコ機やパチスロ機等の遊技機を複数台並べて遊技機設置島に設置してあるので、遊技者も隣り合って遊技することになる。
近年、喫煙に関しては分煙の要望が高くなっており、遊技店においても対策が求められている。
【０００３】
一例として、特開２００４−６５７２２号公報には、隣合う遊技機同士の境界部からエアを吹き出してエアカーテンを生じさせて、タバコの煙が隣の席に流れるのを防止する技術が開示されている。
【特許文献１】特開２００４−６５７２２号公報
【発明の開示】
【発明が解決しようとする課題】
【０００４】
特許文献１の技術は分煙に関しては有効であるが、初期費用及びランニングコストが高く、またメンテナンスも店員が行うには容易ではない等の問題があった。
【課題を解決するための手段】
【０００５】
請求項１記載のロールスクリーンは、
ケーシングと、該ケーシングに収容された回転自在な芯パイプと、該芯パイプに一端が連結されていて該芯パイプに巻取り及び巻解きが可能なスクリーンと、一端が前記芯パイプに連結され他端は前記ケーシングの外部にあって、前記芯パイプに巻取り及び巻解きが可能なスクリーンと、前記スクリーンを巻取る方向に前記芯パイプを回転駆動する駆動手段とを備えるロールスクリーンにおいて、
複数の遊技機が並べて設置される遊技機設置島に前記ケーシングの一方の端部を取り付けるための取付手段を設けたことを特徴とする。
【０００６】
このロールスクリーンは、取付手段を用いてケーシングの一方の端部を遊技機設置島に取り付けられる。その設置位置は、隣り合う遊技機の境界部の上方、つまり隣り合う遊技者同士の間であり、着席した遊技者から見れば斜め上方である。その位置において遊技機設置島から前方に突出した状態で設置されているので、スクリーンを引き出せば遊技者同士をスクリーンにて仕切ることができる。
【０００７】
このように仕切ることで、いずれか一人の遊技者が喫煙した場合、その煙が隣の席に流れるのを防止できる。遊技店では、空調設備の吸入部が天井に設置されているのが普通であるから、煙は天井方向へと吸い上げられて空調設備に取り込まれる。よって隣り合う遊技者間をスクリーンで仕切るだけで十分な分煙効果がある。
【０００８】
従来のエアカーテンを用いる技術（特許文献１）に比べれば、設置費用は低額であり、ランニングコストは不要である。また、メンテナンスといってもスクリーンの清掃程度であるから、容易である。
【０００９】
スクリーンは、請求項２記載のように、これを透光性にすることで遊技者に対する監視が損なわれるのを防止できる。
取付手段は、請求項３記載のように、前記ケーシングと連結された係止片と、前記遊技
機設置島に固定されて前記係止片を係止させる取付ベースとで構成するとよい。こうすれば、取付は係止片を係止させるだけでよく、取り外しは係止を解除するだけでよいので、いわゆるワンタッチの着脱が可能になる。
【００１０】
また、請求項３の構成においては、請求項４記載のように、前記ケーシングと前記係止片とはヒンジを介して連結されており、前記ヒンジによる前記ケーシングの下向きの変位限度を規定する変位規定手段を設けた構成にできる。
【００１１】
変位規定手段によるケーシングの下向きの変位限度は、ケーシングすなわちロールスクリーンの本体部がほぼ水平になるように規定するのが望ましい。
こうすれば、例えば遊技者が立ち上がった瞬間にケーシングに当たったりしても、ケーシングがヒンジによって上向きに変位するから、このような衝突でロールスクリーンが破損するのを防止できる。
【００１２】
また、遊技者が接触することを考慮すれば、請求項５記載のように、前記ケーシングの他方の端部には、例えばゴム等の緩衝材が取り付けられている構成が好ましい。
請求項６記載のロールスクリーンは、請求項１記載のロールスクリーンにおいて、前記芯パイプの回転を阻む状態と前記芯パイプの回転を許す状態とに可変のロック手段を設けたことを特徴とするので、ロック手段を操作することでスクリーンの引き出し長さを任意に選択できる。
【００１３】
請求項７記載のロールスクリーンは、請求項１記載のロールスクリーンにおいて、前記スクリーンの他端を前記遊技機設置島に拘束するための拘束手段を設けたことを特徴とするから、スクリーンの下端が揺れたりするのを防止できる。
【００１４】
請求項８記載のロールスクリーンは、請求項１記載のロールスクリーンにおいて、前記スクリーンを両面から挟んで前記スクリーンの巻取り時及び巻解き時に前記スクリーンの両面を拭くワイパ部材を設けたことを特徴とするから、スクリーンを引き出し、巻き戻す毎にその両面がワイパ部材で拭かれ、汚れを除去される。
【００１５】
請求項９記載のロールスクリーンは、請求項１記載のロールスクリーンにおいて、前記芯パイプ及びスクリーンを交換可能であるから、スクリーンの劣化時や破損時には新品と交換できる。また、新台入れ換え時に、その機種に応じたスクリーンに交換する等も可能である。
【００１６】
請求項１０記載のロールスクリーンは、請求項１記載のロールスクリーンにおいて、前記駆動手段によって前記芯パイプを回転駆動して前記スクリーンを巻取る際の巻取り限度が規定されていて、該巻取り限度まで前記スクリーンを巻取ったときにスクリーンの一部が前記ケーシングから出ていることを特徴とするので、このケーシングから出ている部分を宣伝等に利用できる。
【００１７】
請求項１１記載のロールスクリーンは、請求項１記載のロールスクリーンにおいて、前記ケーシングには、表示プレートを保持するためのプレート保持部が設けられていることを特徴とするので、大当たりプレートや確変プレートをロールスクリーンに保持させることができる。ロールスクリーンが遊技機設置島から突出しているので、これに各種の表示プレートを保持させれば、従来の方式よりも格段に目立つ。
【００１８】
そうした表示プレートがアクリル等の透光性の樹脂であれば、請求項１２に記載のように、前記プレート保持部に保持された表示プレートに光を照射するための発光体が設けられていると、表示プレートに電飾効果を与えることができる。発光体としては、ＬＥＤが
好適である。
【００１９】
請求項１３記載のロールスクリーンは、請求項１記載のロールスクリーンにおいて、遊技者のスイッチ操作によって点灯する呼び出し灯が前記ケーシングの他方の端部に設けられていることを特徴とする。
【００２０】
遊技者のスイッチ操作によって点灯する呼び出し灯（呼び出しランプ）は、従来は遊技機の上方で遊技機設置島の前面に設置されていたが、これをケーシングの先端部に配置することで従来より目立つ。なお、従来の呼び出しランプはそのままにして（撤去せず）、そのスイッチ信号だけをロールスクリーンに取り込んで呼び出し灯を点灯させればよい。
【００２１】
請求項１４記載のロールスクリーンは、請求項１記載のロールスクリーンにおいて、重力による荷重を前記スクリーンの他端に及ぼすためのバランサを設けたので、スクリーンのロール曲がりを修正できる。
【００２２】
請求項１５記載のロールスクリーンは、請求項１記載のロールスクリーンにおいて、カメラ（例えばＣＣＤカメラ）を保持するためのカメラ保持部を設けたから、店内監視用のカメラをロールスクリーンに保持させることができる。そうすれば遊技者の斜め上方から遊技機及び遊技者を撮影できるので、遊技機１台毎、遊技者１人毎のきめ細かな監視が可能になる。
【００２３】
請求項１６記載のロールスクリーンは、
ケーシングと、
該ケーシングに収容された回転自在な芯パイプと、
該芯パイプに一端が連結されていて該芯パイプに巻取り及び巻解きが可能なスクリーンと、
一端が前記芯パイプに連結され他端は前記ケーシングの外部にあって、前記芯パイプに巻取り及び巻解きが可能なスクリーンと、
前記スクリーンを巻取る方向に前記芯パイプを回転駆動する駆動手段と
を備えるロールスクリーンにおいて、
複数の遊技機が並べて設置される遊技機設置島に前記ケーシングを縦向きで取り付けるための取付手段と、
前記ケーシングからの前記スクリーンの引き出し量に追随して伸縮し、前記スクリーンを吊り下げ状に支持する伸縮支持手段と
を設けたことを特徴とする。
【００２４】
このロールスクリーンは、取付手段を用いてケーシングの一方の端部を遊技機設置島に取り付けられる。その設置位置は、隣り合う遊技機の境界部、つまり隣り合う遊技者同士の間である。
【００２５】
そうした位置にケーシングを縦向きで取り付けてあるので、スクリーンを水平方向に引き出せば遊技者同士をスクリーンにて仕切ることができる。
スクリーンは柔軟な材質であるが、伸縮支持手段が、ケーシングからのスクリーンの引き出し量に追随して伸縮し、スクリーンを吊り下げ状に支持するので、引き出されたスクリーンは遊技者間でカーテン状に吊り下がり、仕切として機能できる。
【００２６】
このように仕切ることで、いずれか一人の遊技者が喫煙した場合、その煙が隣の席に流れるのを防止できる。遊技店では、空調設備の吸入部が天井に設置されているのが普通であるから、煙は天井方向へと吸い上げられて空調設備に取り込まれる。よって隣り合う遊技者間をスクリーンで仕切るだけで十分な分煙効果がある。
【００２７】
従来のエアカーテンを用いる技術（特許文献１）に比べれば、設置費用は低額であり、ランニングコストは不要である。また、メンテナンスといってもスクリーンの清掃程度であるから、容易である。
【００２８】
請求項１６記載のロールスクリーンにおいても、請求項２、請求項３、請求項６、請求項８又は請求項９に記載の構成を採用することができ、その場合には、これらの請求項について上述したのと同様の効果が得られる。
【発明を実施するための最良の形態】
【００２９】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
図１に示すとおり、本実施例のロールスクリーン１は、合成樹脂製の取付ベース２を介して遊技機設置島３（全体の図示は省略）に取り付けられる。取付ベース２は、例えばビス止めによって遊技機設置島３に取り付けられるが、その取り付け位置は、隣り合う遊技機（例えばパチンコ機、パチスロ機）の境界部の上方、つまり隣り合う遊技者同士の間であり、着席した遊技者から見れば斜め上方である。なお、遊技機に台間球貸機（いわゆるサンド）やＣＲユニット等が付設されている場合は、これと隣の遊技機との境界部の上方になる。
【００３０】
取付ベース２には合成樹脂製の基部ケース４が連結される。詳しくは、基部ケース４にはヒンジ軸５と一体の係止片６が取り付けられており、その係止片６を取付ベース２の差込部７に差し込んで、係止片６の突起８を差込部７の開口９に係止させてある。従って、この係止を解除すれば係止片６すなわち基部ケース４を取付ベース２から取り外すことができる。なお、これら取付ベース２と係止片６とにより取付手段が構成されている。
【００３１】
基部ケース４の内部には軸受部１０が設けられ、その下方にはスイッチ１１付きの回路基板１２が収容されている。
軸受部１０の軸受孔１３には可動軸部材１４の軸部１５が回転自在に挿入されている。
【００３２】
可動軸部材１４には、外周部に鋸歯状のラチェット歯１６を備える円盤部１７が設けられている。一方、基部ケース４には、停止ピン１８が取り付けられており、この停止ピン１８の先端部をラチェット歯１６に係止させることができる。但し、停止ピン１８は戻バネ１９によって円盤部１７から離れる方向に付勢されているので、先端部をラチェット歯１６に係止させるには、この付勢力に抗して停止ピン１８を押し込む必要がある。
【００３３】
また、可動軸部材１４は、円盤部１７を挟んで軸部１５とは反対側に突出する嵌合部２０を備えており、この嵌合部２０には丸棒状のプラグ２１が抜き差し可能に嵌着されている。なお、軸部１５、円盤部１７、嵌合部２０及びプラグ２１は同心になっている。
【００３４】
プラグ２１にはセンターパイプ２２が圧入によって固着されている。また、センターパイプ２２の外周には被覆パイプ２３が被着されている。この被覆パイプ２３にはスクリーンシート２４の端部が貼付されて、スクリーンシート２４が巻き付けられている。
【００３５】
センターパイプ２２の他端は内部軸受２５と圧入によって連結されている。また、内部軸受２５には樹脂ナット２６が螺着され、この樹脂ナット２６と可動軸部材１４とで被覆パイプ２３を挟持する。
【００３６】
内部軸受２５には駆動シャフト２７が回転自在に挿通されている。
駆動シャフト２７にはコイルスプリング２８が巻き付けられており、コイルスプリング２８の一端は駆動シャフト２７の先端部２７ａに係合し、他端は内部軸受２５に固定されている。また、駆動シャフト２７の基端部２７ｂは先端カバー２９のシャフト保持部３０に嵌着されている。
【００３７】
その先端カバー２９はスクリーンハウジング３１に取り付けられ、またスクリーンハウジング３１は基部ケース４に固定されている。
従って、スクリーンシート２４を引き出すと、センターパイプ２２と共に可動軸部材１４、内部軸受２５が回転し、それによってコイルスプリング２８にねじれが加えられる。
【００３８】
スクリーンシート２４の先端にはウェイト３５及びフック３６を備えるスクリーンホルダ３７が取り付けられており、スクリーンシート２４を引き出してフック３６を遊技機設置島３のステージ（図示せず）に係止させると、隣り合った遊技機同士をスクリーンシート２４にて仕切ることができる。なお、スクリーンシート２４はＰＥＴやＰＥＮ等の透光性フィルムである。
【００３９】
そして、フック３６を外してスクリーンシート２４を引き出していた力を解除すれば、コイルスプリング２８が弾性復帰するために内部軸受２５が回転し、それによってセンターパイプ２２と共にスクリーンシート２４の被覆パイプ２３が回転するから、スクリーンシート２４が巻き戻される。内部軸受２５、駆動シャフト２７、コイルスプリング２８にて駆動手段が構成されている。
【００４０】
なお、基部ケース４に取り付けられた停止ピン１８を押し込めば、停止ピン１８の先端部がラチェット歯１６に係止するので、これによってスクリーンシート２４の巻き戻しを阻むことができ、フック３６を用いなくてもスクリーンシート２４を引き出した状態にできる。この場合、適宜に引き出したところで停止ピン１８を押し込むことで、スクリーンシート２４の引き出し長さを任意に調節できる。また、この場合は、スクリーンシート２４を少し引けば、ラチェット歯１６による係止が解除されて、停止ピン１８は戻バネ１９の力で突出位置に復帰するから、こうした操作でスクリーンシート２４を巻き戻すことができる。
【００４１】
先端カバー２９には装飾カバー３２が被着されているが、これにＬＥＤ基板３３を保持させて、レンズカバー３４で覆うこともできる。
なお、先端カバー２９はボルト４４によってスクリーンハウジング３１に取り付けられているが、これを外せば先端カバー２９から可動軸部材１４までをスクリーンハウジング３１から抜き取ることができる。そして、例えば可動軸部材１４を抜き取ればスクリーンシート２４を（被覆パイプ２３も含めて）取り外すことができる。従って、スクリーンシ
ート２４を交換することができる。
【００４２】
スクリーンハウジング３１はアルミニウムの引抜成形品であり、図３に示すように、スクリーン収容孔４０、一対のワイパー保持溝４５、プレート差込溝３８、バネ保持溝３９、基板保持溝４１等が設けられている。
【００４３】
そして、図４に示される配置にて、スクリーン収容孔４０にはスクリーンシート２４や駆動シャフト２７等が収容され、ワイパー保持溝４５には樹脂製のワイパー４２が保持され、バネ保持溝３９に保持された板バネ４６はプレート差込溝３８内に達しており、基板保持溝４１にはＬＥＤ基板４３が収容されている。また、スクリーンハウジング３１には先端カバー２９を固定するためのボルト４４が螺着される。
【００４４】
ワイパー保持溝４５に保持された一対のワイパー４２は弾性材（例えばゴム）製の板状で、屈曲させられた状態で背中合わせ状に配されている。スクリーンシート２４はこれらワイパー４２の間に挟まれており、引き出し時及び巻き戻し時には、ワイパー４２に擦られる。このため、スクリーンシート２４は、引き出し、巻き戻し毎に表面をワイパー４２によってクリーニングされる。また、ワイパー４２とスクリーンシート２４との間に生じる摩擦力は、スクリーンシート２４の巻き上げ速度を減速させる。
【００４５】
プレート差込溝３８は、例えば「大当たり」とか「確変中」とかの文字が描かれた表示プレート（図示せず）を差し込むために設けられており、板バネ４６は差し込まれた表示プレートがぐらつくのを防止する。
【００４６】
ＬＥＤ基板４３にはＬＥＤが実装されており、そのＬＥＤの光がプレート差込溝３８に差し込まれた表示プレートに入射することで表示プレートを発光させる。なお、ＬＥＤ基板４３を（上述のＬＥＤ基板３３を備えるときには、これを）回路基板１２に接続し、スイッチ１１をオン操作するとＬＥＤ基板４３上のＬＥＤを点灯させること、つまり従来の呼び出しランプとして機能させる。
【００４７】
このロールスクリーン１は、取付ベース２と係止片６とからなる取付手段を用いて一方の端部を遊技機設置島３に取り付けられるが、その設置位置は、隣り合う遊技機の境界部の上方、つまり隣り合う遊技者同士の間であり、着席した遊技者から見れば斜め上方である。その位置において遊技機設置島３から前方（遊技機設置島３間の通路側）に突出した状態で設置されているので、スクリーンシート２４を引き出せば遊技者同士をスクリーンシート２４にて仕切ることができる。
【００４８】
なお、スクリーンシート２４はフック３６を用いる長さに引き出せるだけでなく、停止ピン１８を用いて任意の長さにもできる。但し、フック３６（拘束手段）を遊技機設置島３に係止させれば、スクリーンシート２４の下端が揺れたりするのを防止できる。また、スクリーンホルダ３７はウェイト３５を備えるので、スクリーンシート２４に重力荷重を与えて、スクリーンシート２４のロール曲がりを修正できる。
【００４９】
このように仕切ることで、いずれか一人の遊技者が喫煙した場合、その煙が隣の席に流れるのを防止できる。遊技店では、空調設備の吸入部が天井に設置されているのが普通であるから、煙は天井方向へと吸い上げられて空調設備に取り込まれる。よって隣り合う遊技者間をスクリーンで仕切るだけで十分な分煙効果がある。
【００５０】
従来のエアカーテンを用いる技術に比べれば、設置費用は低額であり、ランニングコストは不要である。また、メンテナンスといってもスクリーンシート２４の清掃程度であるから、容易である。
【００５１】
しかも、スクリーンシート２４をワイパー４２（ワイパ部材）にて両面から挟んで、スクリーンシート２４の引き出し時及び巻取り時にスクリーンシート２４の両面を拭く構成であるから、スクリーンシート２４を引き出し、巻き戻す毎にその両面がワイパー４２で拭かれ、汚れを除去される。
【００５２】
なお、コイルスプリング２８の基底的ななじれ量を調節することにより、スクリーンシート２４を完全には巻き取らないようにスクリーンシート２４を巻取る際の巻取り限度を規定することができる。このようにすれば、常時スクリーンシート２４の一部が外に出ているので、この出ている部分を宣伝等に利用できる。
【００５３】
スクリーンシート２４は透光性であるから、これを引き出しても遊技者が見えなくなるわけではなく、遊技者に対する監視は損なわれない。
また、スクリーンシート２４を容易に交換できるので、スクリーンシート２４の劣化時や破損時には新品と交換できる。また、新台入れ換え時に、その機種に応じたスクリーンシート２４に交換する等も可能である。
【００５４】
取付ベース２と係止片６とは係止片６の突起８を差込部７の開口９に係止させてあるだけなので、この係止を解除すれば係止片６すなわち基部ケース４を取付ベース２から取り外すことができる。従って、ロールスクリーン１をワンタッチで着脱できる。
【００５５】
また、係止片６はヒンジ軸５に連結されているので、ヒンジ軸５を中心にしてロールスクリーン１を回動させることができる。但し、下向きの回動は、基部ケース４の下端部が取付ベース２に当接することによって規制されるので（変位規定手段）、ロールスクリーン１がほぼ水平になる位置までで規制される。
【００５６】
一方、上向きにはロールスクリーン１が遊技機設置島３に接触するまで、つまり略直立の位置まで変位できるので、例えば遊技者が立ち上がった瞬間にロールスクリーン１に当たったりしても、ロールスクリーン１が上向きに変位するから、このような衝突でロールスクリーン１が破損するのを防止できる。また、ロールスクリーン１を使用しないときには、上記のように立てた状態にしておくことも可能である。
【００５７】
また、遊技者が接触することを考慮すれば、装飾カバー３２を軟質の材料、例えばゴム等にするのが好ましい。
ロールスクリーン１は、表示プレートを保持するためのプレート差込溝３８が設けられているから、大当たりプレートや確変プレートをロールスクリーン１に保持させることができる。ロールスクリーン１が遊技機設置島３から突出しているので、これに各種の表示プレートを保持させれば、従来の方式よりも格段に目立つ。
【００５８】
そうした表示プレートがアクリル等の透光性の樹脂であれば、ＬＥＤ基板４３のＬＥＤの光を表示プレートに照射して表示プレートに電飾効果を与えることができる。
また、ＬＥＤ基板３３を備えて、これを回路基板１２に接続し、スイッチ１１をオン操作するとＬＥＤ基板３３のＬＥＤを点灯させる構成にすれば、ロールスクリーン１の先端部を呼び出しランプとして機能させることができる。呼び出しランプは、従来は遊技機の上方で遊技機設置島３の前面に設置されていたが、これをロールスクリーン１の先端部に配置することで従来より目立つ。なお、従来の呼び出しランプはそのままにして（撤去せず）、そのスイッチ信号だけをロールスクリーン１に取り込んで呼び出し灯を点灯させればよい。
［実施例２］
巻き戻し用のモータ及びＣＣＤカメラを備える例を説明する。なお、実施例１と共通部
分については図示及び説明を省略する。
【００５９】
図５に示すように、本実施例のロールスクリーン１では、可動軸部材１４にギヤ５１を取り付けて、これをギヤ付きモータ５２と接続してある。また回路基板１２にはモータ制御用の回路も組み込まれている。
【００６０】
本実施例では、駆動シャフト２７の基端部２７ｂを保持するための先端カバー２９は、スクリーンハウジング３１内に収容されている。また駆動シャフト２７にはＥリング５３とワッシャ５４が装着されている。
【００６１】
レンズカバー３４は半球状で、その内部にＬＥＤ基板３３及びＣＣＤカメラ５５が配されている。
このＣＣＤカメラ５５は、着席した遊技者及び遊技機の前面部を撮影する角度で取り付けられている。
【００６２】
本実施例の場合、モータ５２にて可動軸部材１４、つまり被覆パイプ２３を回転させることができるので、図示しないスイッチを操作してモータ５２を稼働させればスクリーンシート２４を引き出すことができる。また、モータ５２を逆回転させればスクリーンシート２４の巻き戻しもできる。
【００６３】
更に、ＣＣＤカメラ５５を備えているので、これを店内監視用のカメラとして、遊技者の斜め上方から遊技機及び遊技者を撮影できるので、遊技機１台毎、遊技者１人毎のきめ細かな監視が可能になる。
【００６４】
なお、レンズカバー３４にはＣＣＤカメラ５５の取付基部５６（カメラ保持部）を設けるのみとして、ＣＣＤカメラ５５の取り付けは遊技店で行う（又は取り付けない）ようにすることも可能である。
［実施例３］
オイルダンパを用いるを図６を参照して説明する。なお、実施例１又は２と共通部分については図示及び説明を省略する。
【００６５】
本実施例のロールスクリーン１では、センターパイプ２２及び被覆パイプ２３としてステンレス鋼の精密細管を使用している。
そして、プラグ２１とセンターパイプ２２、内部軸受２５ととは接着剤を塗布してから圧入して連結してある。また、内部軸受２５の先端部と駆動シャフト２７との接続部分をオイルシール７３によって封じてある。このようにして、液密にされたセンターパイプ２２の内部２２ａにはグリスが封入されている。また、駆動シャフト２７の先端部２７ａにファン７１を取り付けてボルト７２で固定してある。
【００６６】
このように構成することで、コイルスプリング２８にてスクリーンシート２４を巻き戻す場合には、グリスの粘性抵抗がコイルスプリング２８に作用して巻き戻し速度を抑制する。その際に、ファン７１がダンパ効果を向上させる。
【００６７】
グリスによるオイルダンパが内封されているから、スクリーンシート２４の巻き戻し速度がゆっくりしたものになる。
なお、図７に示すように、内部軸受２５を第１部分２５ａと第２部分２５ｂとの２分割構造にして、Ｏリング７５を駆動シャフト２７に外嵌し、第１部分２５ａと第２部分２５ｂとを圧入にて連結する構成にのできる。このようにＯリング７５を用いれば、オイルシールよりも密封性（オイル漏れ防止性能）を良好にできる。
［実施例４］
比較的簡易な構成の一例を図８を参照して説明する。なお、実施例１、２又は３と共通部分については図示及び説明を省略する。
【００６８】
図８に示すように、本実施例のロールスクリーン１では、取付ベース８２を箱状にして実施例１で説明した基部ケース４を省いてある。その一方、スクリーンハウジング３１と取付ベース８２との間に軸保持ケース８３を介装して、その軸受孔１３にて可動軸部材１４の軸部１５を保持している。
【００６９】
また、先端カバー２９には装飾カバー３２のみを装着し、レンズカバー３４やＬＥＤ基板３３を廃してある。
さらに、スクリーンハウジング３１の構造も図８（ｂ）に示すように単純化し、スクリーン収容孔４０及びスクリーンシート２４の通路となる開口８５は設けてあるが、ワイパー保持溝４５、プレート差込溝３８、バネ保持溝３９、基板保持溝４１は設けてない。言うまでもなく、ワイパー４２、板バネ４６、ＬＥＤ基板４３等も備わっていない。
【００７０】
このように、単純な構成にすることも可能であり、例えば低コストを第１とする顧客向けとして適している。
［変形例］
駆動手段のバネとしてコイルスプリング２８に代えてぜんまいを用いることができる。
【００７１】
一例を示すと、図９のように基部ケース４の内部にぜんまいホルダ９１を配し、これにぜんまい９２の中心部を固定する。そして、筒状のぜんまいハウジング９３をぜんまい９２に被せるようにして、これにぜんまい９２の先端部９２ａを連結する。さらに、ぜんまいハウジング９３に立設した軸９４と可動軸部材１４とを連結する。このようにすれば、スクリーンシート２４を巻き戻すための駆動源としてぜんまい９２を使用できる。
［実施例５］
この実施例はケーシングを縦向きに設置して、スクリーンが水平方向に引き出される例である。
【００７２】
図１０に示すように、本実施例のロールスクリーン９０は、スクリーンハウジング９１と上下のカバー９２、９３とからなるケーシングを備えている。ケーシングの側面にはスリット９４が設けられており、このスリット９４をスクリーンシート２４が通過する。
【００７３】
スクリーンシート２４は実施例１〜４と同様のものであり、ケーシング内には実施例１〜４で説明したのと同様の、スクリーンシート２４を繰り出し、巻き戻すための構成が内蔵されている。
【００７４】
スクリーンシート２４の先端部には先端部を保護し、また操作時に摘みとなる先端カバー９５が取り付けられている。この先端カバー９５は合成樹脂の成形品であり軽量である。
【００７５】
また、先端カバー９５の上端部には、伸縮支持手段である板バネ９６の先端が連結されている。板バネ９６の基部は、カバー９２に固定されたバネケース９７の中に巻き尺状に巻き取られている。このバネケース９７には板バネ９６を巻き取るための付勢機構が内蔵されており、引き出された板バネ９６を板バネ式の巻き尺と同様に巻き取ることができる。
【００７６】
但し、スクリーンシート２４及び板バネ９６を引き出すと、その引き出された位置で拘束し、そこから少し引くと拘束を解除するラチェット機構が内蔵されているので、このラチェット機構に作動に従って引き出し状態とされ、また巻き取られることになる。
【００７７】
このロールスクリーン９０は、ケーシングを遊技機（例えばパチンコ機）９８の背後に位置させて、球貸機９９と遊技機９８との間からスクリーンシート２４が引き出される。従って、通常ではスクリーンシート２４を最大に巻き戻しても（引き出し量を最小にしても）、カバー９２が球貸機９９と遊技機９８との間で遊技者側に突出している。
【００７８】
このロールスクリーン９０は、隣り合う遊技機９８間、つまり隣り合う遊技者同士の間に設置されるので、スクリーンシート２４を遊技機設置島から前方（遊技機設置島３間の通路側）に引き出せば遊技者同士をスクリーンシート２４にて仕切ることができる。
【００７９】
このように仕切ることで、いずれか一人の遊技者が喫煙した場合、その煙が隣の席に流れるのを防止できる。遊技店では、空調設備の吸入部が天井に設置されているのが普通であるから、煙は天井方向へと吸い上げられて空調設備に取り込まれる。よって隣り合う遊技者間をスクリーンで仕切るだけで十分な分煙効果がある。
【００８０】
従来のエアカーテンを用いる技術に比べれば、設置費用は低額であり、ランニングコストは不要である。また、メンテナンスといってもスクリーンシート２４の清掃程度であるから、容易である。
［変形例］
実施例５では、伸縮支持手段である板バネ９６の巾を上下方向にした（縦置き）形式を採用しているが、図１１に示すように、これを横置き形式にしてもよい。また、同図に示すようにカバー９５に摘み９５ａを設けてもよい。
【００８１】
ケーシングを遊技機設置島に取り付けるための取付手段として、取付板９２ａ、９３ａを上下のカバー９２、９３に設けて、これをねじ止めする構成を採用できる。
【図面の簡単な説明】
【００８２】
【図１】実施例１のロールスクリーンの断面図。
【図２】実施例１のロールスクリーンの斜視図。
【図３】実施例１のスクリーンハウジングの断面図。
【図４】実施例１のスクリーンハウジングに取り付けられる部品の配置説明図。
【図５】実施例２のロールスクリーンの要部説明図。
【図６】実施例３のロールスクリーンの要部説明図。
【図７】実施例３の内部軸受の変形例の説明図。
【図８】実施例４のロールスクリーンの要部説明図。
【図９】変形例の説明図。
【図１０】実施例５のロールスクリーンの説明図。
【図１１】実施例５の変形例の説明図。
【符号の説明】
【００８３】
１、９０・・・ロールスクリーン、
２・・・取付ベース、
３・・・遊技機設置島、
４・・・基部ケース、
５・・・ヒンジ軸、
６・・・係止片、
１０・・・軸受部、
１４・・・可動軸部材、
２２・・・センターパイプ、
２３・・・被覆パイプ、
２４・・・スクリーンシート、
２５・・・内部軸受、
２７・・・駆動シャフト、
２８・・・コイルスプリング、
３１、９１・・・スクリーンハウジング、
４０・・・スクリーン収容孔、
３６・・・フック、
４２・・・ワイパー、
５２・・・モータ、
５５・・・ＣＣＤカメラ、
５６・・・取付基部、
８２・・・取付ベース。
【図１】
2008062012.tif 000003
【図２】
2008062012.tif 000004
【図３】
2008062012.tif 000005
【図４】
2008062012.tif 000006
【図５】
2008062012.tif 000007
【図６】
2008062012.tif 000008
【図７】
2008062012.tif 000009
【図８】
2008062012.tif 000010
【図９】
2008062012.tif 000011
【図１０】
2008062012.tif 000012
【図１１】
2008062012.tif 000013